(57)【要約】【課題】テレビジョン放送受信装置におけるオートチューニングでは、チューニングされるチャンネルが切替わるたびに受信する信号が切り替わり信号状態が不連続になり乱れた画像が表示されてしまうので、チューニング完了まで画面に乱れた画像を表示しないようにする。【解決手段】表示切替コントロール回路１０は、チューナ表示メモリ回路９から静止画像データを読込む回路である読込用メモリ制御回路１７と、画像処理バッファ６の動画像データを読込むかまたは読込用メモリ制御回路１７から静止画像データを読込むかを切り替える画像信号切換回路１８と、チューナ表示メモリ回路９から静止画像データの読込みに使用する同期信号を発生するする内部同期信号発生回路１９と、内部同期信号と外部同期信号とを切り替える同期信号切換回路２０と、読込んだ画像データを表示装置１１に出力する表示コントロール回路２１とを備える。【選択図】図２
2009027592.tif 000002
【特許請求の範囲】
【請求項１】
予めチューニング処理を実行して選局可能なチャンネルを記憶するテレビジョン放送受信装置において、
チューニング処理中に表示するための静止画像を保存する記憶手段と、
内部で連続的に同期信号を発生させる内部同期信号発生手段と、
チューニング処理の際、前記内部同期信号発生手段の同期信号に同期して前記記憶手段に保存された静止画像を表示する表示手段とを備えたことを特徴とするテレビジョン放送受信装置。
【請求項２】
前記記憶手段は、チューニング処理中にチューニングされたチャンネルに対応した静止画像を保存するチューナ表示メモリ回路であることを特徴とする請求項１に記載のテレビジョン放送受信装置。
【請求項３】
前記チューナ表示メモリ回路は、複数のチャンネルの静止画像を保存することができることを特徴とする請求項２に記載のテレビジョン放送受信装置。
【請求項４】
放送番組の映像を表示する回路とチューニング処理中の前記静止画像を表示する回路を切り替える表示切替コントロール回路を備えたことを特徴とする請求項２又は請求項３のいずれか一項に記載のテレビジョン放送受信装置。
【請求項５】
前記表示切替コントロール回路は、
放送番組の動画像または前記静止画像のいずれか一方を入力するように切り替える画像信号切換回路と、
前記放送番組の動画像を入力するように切り替えられた場合には前記放送番組の受信データから抽出された外部同期信号に切り替え、前記静止画像を入力するように切り替えられた場合には内部同期信号に切り替える同期信号切換回路と、
を備えていることを特徴とする請求項４に記載のテレビジョン放送受信装置。
【請求項６】
前記表示切替コントロール回路は、
表示装置に前記静止画像を多画面で表示するように制御し、受信したチャンネルが予め決められた表示できる画面数を超えた場合に、表示している前記静止画像を自動的にスクロールしながら表示するように制御することを特徴としている請求項４又は請求項５のいずれか一項に記載のテレビジョン放送受信装置。
【請求項７】
前記表示切替コントロール回路は、
表示装置に前記静止画像を多画面で表示するように制御し、受信したチャンネルが予め決められた表示できる画面数を超えた場合に、表示できる画面数を変更して前記静止画像を表示するように制御することを特徴としている請求項４から請求項６のいずれか一項に記載のテレビジョン放送受信装置。
【請求項８】
前記記憶手段は、予めメモリに記憶された固定画像を読み込んで記憶する固定画像表示メモリ回路であることを特徴とする請求項１に記載のテレビジョン放送受信装置。
【請求項９】
放送番組の映像を表示する回路とチューニング処理中の前記固定画像を表示する回路を切り替える表示切替コントロール回路を備えたことを特徴とする請求項８に記載のテレビジョン放送受信装置。
【請求項１０】
前記表示切替コントロール回路は、
放送番組の動画像または前記固定画像のいずれか一方を入力するように切り替える画像信号切換回路と、
前記放送番組の動画像を入力するように切り替えられた場合には前記放送番組の受信データから抽出された外部同期信号に切り替え、前記固定画像を入力するように切り替えられた場合には前記内部同期信号に切り替える同期信号切換回路と、
を備えていることを特徴とする請求項９に記載のテレビジョン放送受信装置。
【請求項１１】
予めチューニング処理を実行して選局可能なチャンネルを記憶するテレビジョン放送受信処理のチューニングにおける画像表示方法において、
チューニング処理中に表示する静止画像を保存する記憶工程と、
チューニング処理中は前記記憶工程で保存した静止画像を内部で連続的に発生させた同期信号に同期させて表示し、放送番組視聴中は受信された放送番組の動画像を前記放送番組から抽出された外部信号に同期して表示するように切り替える表示切替コントロール工程と、
を備えていることを特徴とするテレビジョン放送受信処理のチューニングにおける画像表示方法。
【請求項１２】
前記記憶工程は、チューニング処理中にチューニングされたチャンネルに対応した静止画像を保存するチューナ表示メモリ工程であり、
チューニング処理中は前記チューナ表示メモリ工程で保存した静止画像を内部で連続的に発生させた同期信号に同期させて表示し、放送番組視聴中は受信された放送番組の動画像を前記放送番組から抽出された外部信号に同期して表示するように切り替える表示切替コントロール工程と、
を備えていることを特徴とする請求項１１に記載のテレビジョン放送受信処理のチューニングにおける画像表示方法。
【請求項１３】
前記表示切替コントロール工程は、
表示装置に動画像または静止画像を多画面で表示し、受信したチャンネルが予め決められた表示できる画面数を超えた場合に、表示している前記静止画像を自動的にスクロールしながら表示することを特徴としている請求項１２に記載のテレビジョン放送受信処理のチューニングにおける画像表示方法。
【請求項１４】
前記記憶工程は、予めメモリに記憶された固定画像を読み込んで記憶する固定画像表示工程であり、
チューニング処理中は前記固定画像表示工程で保存した固定画像を内部で連続的に発生させた同期信号に同期させて表示し、放送番組視聴中は受信された放送番組の動画像を前記放送番組から抽出された外部信号に同期して表示するように切り替える表示切替コントロール工程と、
を備えていることを特徴とする請求項１１に記載のテレビジョン放送受信処理のチューニングにおける画像表示方法。
【発明の詳細な説明】
【技術分野】
【０００１】
本発明は、テレビジョン放送受信装置及びそのチューニングにおける画像表示方法に係り、特にテレビジョン放送のチューニングが完了するまで乱れない画像を表示させることが出来るテレビジョン放送受信装置及びそのチューニングにおける画像表示方法に関するものである。
【背景技術】
【０００２】
テレビジョン放送受信装置を購入し初めて受信を開始する場合など、オートチューニングにより選局可能なチャンネルを自動的に記憶していていく作業を行なう場合がある。このオートチューニングは、テレビ放送をアンテナで受信した放送信号の中から、チューナがあらかじめ受信することのできる特定の周波数(物理チャンネル)だけを取り出し、テレビ放送を受信する機器に、選局可能な放送チャンネルを記憶(以下プリセットという)していくように動作している。
【０００３】
例えば、特許文献１に開示されたチューニングにおける画像表示方法によれば、記憶されたチャネル番号と記憶されないチャネル番号を判別できるように同時に表示し、チューニング完了後はチャンネル選択が容易にできるようにしている。また、特許文献２に開示されたチューニングにおける画像表示方法によれば、選局可能なチャンネルの実際の画像のみを表示装置に表示することで、実際の画像の状態を確認しながらチャンネルのプリセット作業を行うことができるようにしている。
【特許文献１】特開平６−２０５３２０号公報
【特許文献２】特開２００５−２１０５４６号公報
【発明の開示】
【発明が解決しようとする課題】
【０００４】
上記の特許文献１と特許文献２のテレビジョン放送受信装置におけるオートチューニングによるプリセットは、選局可能なチャンネルを自動的にサーチしてチャンネル番号やチャンネルの実際の画面を表示装置に多画面で表示することができる。しかしながら、チューニングされるチャンネルが切替わるたびに受信する信号（周波数や制御信号など）が切替わるので受信状態が不連続になり、同期信号が得られなくなるなど不安定状態が生じプリセット作業中に乱れた画像が表示されてしまうという問題があった。このため、チューニング完了までは画面に乱れた画像を表示しないようにすることが望まれていた。
【０００５】
更に、従来技術では、表示装置に選局可能なチャネルの画面を表示出来ない場合は、ユーザが手動で次の選局可能なチャネル番号をいちいち指定して再表示を行わなければならないという面倒な作業を行なう必要があった。特に最近普及してきたデジタル放送では、選局可能なチャンネルを視認可能な状態で表示装置に全て表示することが困難になって来ている。
【０００６】
本発明の目的は、テレビジョン放送受信装置のプリセット作業中に乱れた画像が表示されないテレビジョン放送受信装置及びそのチューニングにおける画像表示方法を提供することにある。また、本発明の他の目的は、選局可能なチャンネルが表示装置に表示できる予め決められた画面数を超えた場合は、選局状態を表示する画面を自動的にスクロールして表示することができるテレビジョン放送受信装置及びそのチューニングにおける画像表示方法を提供することである。
【課題を解決するための手段】
【０００７】
本発明のテレビジョン放送受信装置は、予めチューニング処理を実行して選局可能なチャンネルを記憶するテレビジョン放送受信装置において、チューニング処理中に表示するための静止画像を保存する記憶手段と、内部で連続的に同期信号を発生させる内部同期信号発生手段と、チューニング処理の際、前記内部同期信号発生手段の同期信号に同期して前記記憶手段に保存された静止画像を表示する表示手段とを備えたことを特徴としている。
また、前記記憶手段は、チューニング処理中にチューニングされたチャンネルに対応した静止画像を保存するチューナ表示メモリ回路であることを特徴としている。
また、前記チューナ表示メモリ回路は、複数のチャンネルの静止画像を保存することができることを特徴としている。
また、放送番組の映像を表示する回路とチューニング処理中の前記静止画像を表示する回路を切り替える表示切替コントロール回路を備えたことを特徴としている。
また、前記表示切替コントロール回路は、放送番組の動画像または前記静止画像のいずれか一方を入力するように切り替える画像信号切換回路と、前記放送番組の動画像を入力するように切り替えられた場合には前記放送番組の受信データから抽出された外部同期信号に切り替え、前記静止画像を入力するように切り替えられた場合には前記内部同期信号に切り替える同期信号切換回路と、を備えていることを特徴としている。
また、前記表示切替コントロール回路は、表示装置に前記静止画像を多画面で表示するように制御し、受信したチャンネルが予め決められた表示できる画面数を超えた場合に、表示している前記静止画像を自動的にスクロールしながら表示するように制御することを特徴としている。
また、前記表示切替コントロール回路は、表示装置に前記静止画像を多画面で表示するように制御し、受信したチャンネルが予め決められた表示できる画面数を超えた場合に、表示できる画面数を変更して前記静止画像を表示するように制御することを特徴としている。
また、前記記憶手段は、予めメモリに記憶された固定画像を読み込んで記憶する固定画像表示メモリ回路であることを特徴としている。
また、放送番組の映像を表示する回路とチューニング処理中の前記固定画像を表示する回路を切り替える表示切替コントロール回路を備えたことを特徴としている。
また、前記表示切替コントロール回路は、放送番組の動画像または前記固定画像のいずれか一方を入力するように切り替える画像信号切換回路と、前記放送番組の動画像を入力するように切り替えられた場合には前記放送番組の受信データから抽出された外部同期信号に切り替え、前記固定画像を入力するように切り替えられた場合には前記内部同期信号に切り替える同期信号切換回路と、を備えていることを特徴としている。
また、本発明のテレビジョン放送受信方法は、予めチューニング処理を実行して選局可能なチャンネルを記憶するテレビジョン放送受信処理のチューニングにおける画像表示方法において、チューニング処理中に表示する静止画像を保存する記憶工程と、チューニング処理中は前記記憶工程で保存した静止画像を内部で連続的に発生させた同期信号に同期させて表示し、放送番組視聴中は受信された放送番組の動画像を前記放送番組から抽出された外部信号に同期して表示するように切り替える表示切替コントロール工程と、を備えていることを特徴としている。
また、前記記憶工程は、チューニング処理中にチューニングされたチャンネルに対応した静止画像を保存するチューナ表示メモリ工程であり、
チューニング処理中は前記チューナ表示メモリ工程で保存した静止画像を内部で連続的に発生させた同期信号に同期させて表示し、放送番組視聴中は受信された放送番組の動画像を前記放送番組から抽出された外部信号に同期して表示するように切り替える表示切替コントロール工程と、を備えていることを特徴としている。
また、前記表示切替コントロール工程は、表示装置に動画像または静止画像を多画面で表示し、受信したチャンネルが予め決められた表示できる画面数を超えた場合に、表示している前記静止画像を自動的にスクロールしながら表示することを特徴としている。
また、前記記憶工程は、予めメモリに記憶された固定画像を読み込んで記憶する固定画像表示工程であり、チューニング処理中は前記固定画像表示工程で保存した固定画像を内部で連続的に発生させた同期信号に同期させて表示し、放送番組視聴中は受信された放送番組の動画像を前記放送番組から抽出された外部信号に同期して表示するように切り替える表示切替コントロール工程と、を備えていることを特徴としている。
【発明の効果】
【０００８】
本発明によれば、プリセット作業中は、内部同期信号で動作する表示切替コントロール回路により画像を表示するようにしたので、同期信号が不連続になることがなく、乱れない画像を表示することができる。また、本発明によれば、自動的にスクロールしてチューニングされたチャンネルの静止画像を表示することができるので、ユーザは、チューニング完了後のチャンネルを容易に確認することができる。
【発明を実施するための最良の形態】
【０００９】
以下、本発明の最良の実施形態について図面を参照して説明する。
【００１０】
（第１の実施の形態）
図１は、本発明の第１の実施形態における、デジタル放送を受信するテレビジョン放送受信装置の制御ブロック図である。図２は、図１の表示切替コントロール回路１０を更に詳細に示した制御ブロック図である。
【００１１】
図１、図２を参照して本発明の第１の実施形態のデジタル放送を受信するテレビジョン放送受信装置の構成を説明する。
【００１２】
アンテナ１は放送電波から放送信号を受信する装置であり、受信した放送信号をチューナ回路２に出力する。
【００１３】
チューナ回路２は、所望の放送番組のデータが含まれる放送電波（物理チャンネル）を選択して復調し、誤り訂正処理などを施し、映像信号、音声信号、制御信号などが多重されたトランスポートストリーム信号（物理チャンネルのＴＳ信号）を出力する回路である。
【００１４】
信号処理回路３は、チューナ回路２から入力されたＴＳ信号から所望の放送番組（編成チャンネル）のデータを選択（DeMUX処理）して伸長する復号処理回路を含む。また、信号処理回路３は、ＭＰＥＧ−２方式で圧縮された映像信号、音声信号、制御信号などを外部入力装置４から入力して伸長する復号処理回路を含む。また、信号処理回路３は、チューナ回路２からの信号、または外部入力装置４からの信号のいずれかの信号を、リモコンなどの操作入力手段１５の操作に基づき選択して出力する切替手段を含む。また、信号処理回路３は、映像信号、音声信号、制御信号などを復号して出力するが、図１では画像処理回路５に出力される映像信号のみを示し、その他の音声信号、制御信号などについては図示を省略している。
【００１５】
外部入力装置４は、放送番組などを録画再生するビデオ装置やＤＶＤ装置である。
【００１６】
画像処理回路５は、信号処理回路３から入力された映像信号を処理する回路で、映像信号から水平同期信号と垂直同期信号を分離する処理（放送番組の映像を表示装置に表示するための外部同期信号（水平同期信号、垂直同期信号）は画像処理回路５において映像信号から抽出される。以下映像信号から抽出されたこの同期信号を外部同期信号という）、通常の番組視聴時は選択された放送番組（編成チャンネル）の映像信号の動画像を抽出する処理、また、チューニング作業において選局された各編成チャンネルの映像信号である動画像の1コマ（１フレーム）である静止画像を抽出する処理を行う回路である。
【００１７】
動画像処理バッファ６は、画像処理回路５が抽出した動画像の画像データを一時的にサイクリックに保存するフレームメモリ、及び1フレームの画像データを外部同期信号（水平同期信号、垂直同期信号）に同期して１ライン分毎に出力するバッファを備えている。フレームメモリの構成は、図６に示すように、各フレームにフレームNoとヘッダ情報を有する構成となっている。１フレームデータは１コマの画像に対応し、1コマの画像の１ライン分のピクセル(画像の最小単位である画素)を１スロットとし、そのスロット毎にヘッダ情報を持つ図７に示す構成の複数スロットからなる画像データである。
【００１８】
静止画像処理バッファ７は、画像処理回路５が編成チャンネル同期状態で抽出し動画像処理バッファ６のフレームメモリに記憶した１フレーム分の静止画像の画像データをチューナ表示メモリ回路９に書き込む前に一時的に記憶するバッファである。
【００１９】
メモリ制御回路８は、抽出された静止画像の画像データを静止画像処理バッファ７から受け取り、チューナ表示メモリ回路９に書込む回路である。
【００２０】
チューナ表示メモリ回路９は、チューニング作業において各編成チャンネルに対応して１フレームずつ抽出された静止画像データを記憶する記憶手段であり、選局可能な編成チャンネルの静止画像データは、このチューナ表示メモリ回路９に区分けして記憶される。
【００２１】
表示切替コントロール回路１０は、図２に詳細を示すように、読込用メモリ制御回路１７と、画像信号切替回路１８と、内部同期信号発生回路１９と、同期信号切替回路２０と、表示コントロール回路２１とから構成されている。
【００２２】
読込用メモリ制御回路１７は、制御部１２からの読出命令によりチューナ表示メモリ回路９から静止画像データを読込む回路である。チューナ表示メモリ回路９からの画像データ読み出しは、内部同期信号発生回路１９からの同期信号の水平同期信号、垂直同期信号に同期して１フレームの１ラインごと行われる。以下内部同期信号発生回路１９から出力される同期信号（水平同期信号、垂直同期信号）を内部同期信号という。
【００２３】
画像信号切替回路１８は、動画像処理バッファ６の動画像データを読込むかまたは読込用メモリ制御回路１７から静止画像データを読込むかを切り替える回路である。
【００２４】
内部同期信号発生回路１９は、チューナ表示メモリ回路９からの静止画像データ読込みに使用する同期信号（水平同期信号、垂直同期信号）を発生するする回路である。この内部同期信号発生回路１９から発生する内部同期信号は、編成チャンネルの選局に伴う映像信号の切り替えに拘わらず連続した同期信号を発生している。
【００２５】
同期信号切替回路２０は、内部同期信号と外部同期信号とを切り替える回路である。
【００２６】
表示コントロール回路２１は、読込んだ画像データを表示装置１１に出力する回路である。また、表示コントロール回路２１は制御部１２からチューニング開始の指令を受け付けると、画像信号切替回路１８、同期信号切替回路２０の切替を行い、表示切替コントロール回路１０を内部同期信号で動作するように切り替える。
【００２７】
表示装置１１は、液晶表示装置、プラズマ表示装置などを使用した画像表示装置であり、表示コントロール回路２１の制御によりチューニング作業で得られた静止画像、または通常の放送番組を視聴しているときの動画像を表示する。
【００２８】
制御部(ＣＰＵ)１２は、当該テレビジョン放送受信装置の動作を制御する装置である。
【００２９】
電源回路１３は、当該テレビジョン放送受信装置に制御電源を供給する回路である。
メモリ１４は、制御部１２が実行するための制御プログラム格納や処理データの一時記憶用（作業領域用）などとして使用するメモリである。
【００３０】
操作入力手段１５は、ユーザがリモコンなどを使用してチューニング開始、番組選局、外部入力装置４への切り替えなどの操作を行うための操作情報入力手段である。
【００３１】
チューニング情報テーブル１６は、物理チャンネル毎の編成チャンネルと周波数定義と選局可否フラグが設けられている図４に示す構成のテーブルであり、チューニングを行う時に参照するテーブルである。
【００３２】
次に、本発明の第１の実施形態における、デジタル放送を受信するテレビジョン放送受信装置のチューニング完了までの処理を図３のフローチャートを参照して説明する。
【００３３】
第１の実施形態のテレビジョン放送受信装置は、チューニング作業中に乱れない画像が表示することができ、また選局可能な編成チャンネル数が予め決められた表示画面数を超えた場合は、自動的にスクロールして表示することができる。
【００３４】
まず、ユーザが操作入力手段１５を用いてチューニングを開始する操作を行うと、操作入力手段１５からの操作信号が制御部１２に入力される。(ステップＡ１)。
【００３５】
制御部１２は、表示切替コントロール回路１０の表示コントロール回路２１に内部同期信号で動作するように設定切替指令を通知する。表示コントロール回路２１は、画像信号切替回路１８を静止画像データの読込みを制御する読込用メモリ制御回路１７のルート側に、また同期信号切替回路２０を内部同期信号発生回路１９のルート側に切り替える(ステップＡ２)。
【００３６】
制御部１２は、図４に示すチューニング情報テーブル１６の物理チャンネルの周波数を先頭から順に取り出し、どの物理チャネルが選局可能であるかをチェックする。このためチューニング情報テーブル１６のインデックスＩを、まず初期値１としてメモリ１４に記憶する(ステップＡ３)。
【００３７】
制御部１２は、画像処理回路５が抽出した静止画像をチューナ表示メモリ回路９に記憶する時に図５に示す表示メモリマップのメモリ領域番号を示すインデッスＪを初期値１としてメモリ１４に記憶する(ステップＡ４)。図５は表示メモリマップのメモリ領域番号を示し、この例では、１行目にインデッスＪ＝１，２，３のメモリ領域番号が付され、２行目にインデッスＪ＝４，５，６のメモリ領域番号が付され、以下順次メモリ領域番号が付されている。図５は表示装置の１画面に表示されるメモリ領域番号の状態も示しており、＃１、＃２、＃３・・・＃７で示したメモリ領域番号は、それぞれ１画面に表示可能なグループを示している。例えば＃１は、インデッスＪ＝１〜９が付された静止画が１画面に表示可能である。選局可能な編成チャンネル数が予め決められた表示画面数を超えた場合は、自動的にスクロールして表示することができる。例えばインデッスＪが９から１０になったときは、＃１領域の表示から＃２領域の表示にスクロールする。
【００３８】
次に、制御部１２は、チューナ回路２に物理チャンネルのチューニング開始指令を通知する(ステップＡ５)。
【００３９】
チューナ回路２は、アンテナ１で受信したテレビジョン放送信号の中から選局可能な特定の周波数(物理チャンネル)を取り出すために、図４に示すチューニング情報テーブル１６のインデックスＩ番目の周波数を取り出す(ステップＡ６)。初期状態のときはインデックスＩ＝１の周波数が取り出される。なお、ステップＡ２２から戻って処理が続けられる場合は順次インデックスＩ＝２，３、・・・に対応する周波数が取り出される。
【００４０】
チューナ回路２は、取り出した周波数(物理チャンネル)の信号が選局可能かチェックする(ステップＡ７)。選局可能な場合は、選局可能物理チャンネルとして記憶するステップＡ８の処理を行う。選局可能でないと判断された場合は、ステップＡ２０の処理に進む(ステップＡ７)。
【００４１】
チューナ回路２は、チューニング情報テーブル１６のインデックスＩ番目の物理チャンネルが選局可能である場合は、選局可能物理チャンネルとして記憶するために、図４に示すチューニング情報テーブル１６の該当物理チャンネルの選局可否フラグに１をセットする(ステップＡ８)。この選局可否フラグにより、チューニング完了後にユーザが編成チャンネルの選局を行った場合に、その物理チャンネル（又は編成チャンネル）が選局可能かを判断することが出来る。
【００４２】
チューナ回路２は、図４に示すチューニング情報テーブル１６の選局可否フラグに１をセットした物理チャンネルの放送電波を復調し、トランスポートストリーム信号（ＴＳ信号）を抽出し信号処理回路３に出力する。(ステップＡ９)。
【００４３】
ＴＳ信号の伝送制御情報ＰＳＩ（Programa Specific Information）や番組配列情報ＳＩ（Service Information）等から物理チャンネルに含まれる編成チャンネル数を取り出し、メモリ１４に記憶する(ステップＡ１０)。
【００４４】
制御部１２は、図４に示すチューニング情報テーブル１６の１つの物理チャンネルに含まれる編成チャンネルを先頭から順に取り出すため、編成チャンネルのインデックスＫに、まず初期値１としてメモリ１４に記憶する(ステップＡ１１)。
【００４５】
信号処理回路３は、チューナ回路２から入力したＴＳ信号から所望番組(編成チャンネル)の映像信号を選択（DeMUX処理）して伸長し、画像処理回路５に出力する(ステップＡ１２)。
【００４６】
画像処理回路５は、伸張した映像信号から水平同期信号と垂直同期信号を分離させるとともに、映像信号の動画像を水平同期信号と垂直同期信号を使用して１コマ毎に分解させ図７に示す構成のフレームに変換する。そして、選局された編成チャンネルの１フレーム分の静止画像データとこれに対応するフレーム毎に付けられるフレームNoとヘッダ情報を１つのフレームデータとして作成する。また、上記作成されたフレームデータである静止画像データを動画像処理バッファ６に順次保存する(ステップＡ１３)。
【００４７】
また、チューニング作業時においては画像処理回路５は、ステップＡ１１で抽出した１コマの画像のフレームデータを取出し、そのフレームNoを図８に示す構成の静止画像データ情報エリアのメモリ領域番号のＪ番目に対応するフレームNoの位置に記憶し、またフレームデータとなっている静止画像データを静止画像処理バッファ７に保存する(ステップＡ１４)。
【００４８】
メモリ制御回路８は、図８に示す構成の静画像データ情報エリアのメモリ領域番号Ｊに対応したフレームNoを取り出す。更に静止画像処理バッファ７から該当フレームNoの静止画像のフレームデータを取り出し、取り出した静止画像データをチューナ表示メモリ回路９の図５に示す表示メモリマップのメモリ領域番号Ｊ番目の位置に記憶させる(ステップＡ１５)。
【００４９】
表示切替コントロール回路１０の表示コントロール回路２１が、図５に示す表示メモリマップの＃１〜＃７の順に静止画像の画面を表示装置１１に表示するには、まず行番号を求める必要があるので、制御部１２がメモリ１４に記憶されている現在処理中のメモリ領域番号のインデックスＪを取り出し、下記計算により行番号を求める(ステップＡ１６)。この場合、少数点以下は切り捨てて整数とする。
行番号  ←  (Ｊ−１)／ａ＋１
ａ：１行に表示する画面数(図５に示す表示メモリマップでは３となる。)
【００５０】
制御部１２は、ステップＡ１４で求めた行番号が表示最大行数(図５に示す表示メモリマップの＃１の形態で表示する場合は、３行×３列となり表示最大行数は３行)以内かをチェックする(ステップＡ１７)。表示最大数以内の場合は、図５の表示メモリマップの＃１を表示するためのメモリ領域番号を決定するステップＡ１８の処理を行い、表示最大数以内でない場合は図５の表示メモリマップの表示するメモリ領域番号(図５に示す表示メモリマップの＃２〜＃７に属するメモリ領域番号)を計算するステップＡ１９の処理を行う(ステップＡ１７)。
【００５１】
制御部１２は、ステップＡ１６で求めた行番号が表示最大行数以内で有る場合は、図５に示す表示メモリマップ＃１を表示するため先頭表示メモリ番号(Ｇs)に１をセットし、メモリ１６に記憶されている最終表示静止画像の位置を示すメモリ領域番号のインデックスＪを最終表示メモリ領域番号(Ｇe)にセットする(ステップＡ１８)。
【００５２】
制御部１２は、ステップＡ１６で求めた行番号が表示最大行数以内で無い場合は、表示メモリマップの表示するメモリ領域番号(図５に示す表示メモリマップの＃２〜＃７に属するメモリ領域番号)を求めるために、下記計算を行う(ステップＡ１９)。
先頭表示メモリ領域番号(Ｇs)←(行番号−ａ)×ｂ＋１
最終表示メモリ領域番号(Ｇe)←Ｊ
ａ：１行に表示する画面数(図５に示す表示メモリマップでは３となる。)
ｂ：１列に表示する画面数(図５に示す表示メモリマップでは３となる。)
行番号：ステップＡ１６で求めた行番号
【００５３】
表示切替コントロール回路１０の表示コントロール回路２１からの要求により、読込用メモリ制御回路１７は、内部同期信号発生回路１９からの水平・垂直同期信号に同期して、図５に示す表示メモリマップに該当する先頭表示メモリ領域番号(Ｇs)から最終表示メモリ領域番号(Ｇe)までの静止画像データをチューナ表示メモリ回路９から読込み、画像信号切替回路１８を経由して表示コントロール回路２１に出力する(ステップＡ２０)。
【００５４】
表示切替コントロール回路１０の表示コントロール回路２１は、読込用メモリ制御回路１７から出力される９編成チャンネル分の静止画像を表示装置１１に表示する(ステップＡ２１)。
【００５５】
編成チャンネルのインデックスKとステップＡでメモリ１４に記憶した編成チャンネル数を比較し、編成チャンネル数以上であるかチェックを行う(ステップA２２)。編成チャンネルのインデックスＫが編成チャンネル数以上である場合には、全ての編成チャンネルについて選局可能かのチェック済みなので物理チャンネルのチェックを行うステップＡ２４の処理を行う。編成チャンネル数以上でない場合は、次の編成チャンネルについて処理を行うためにステップＡ２３の処理を行う(ステップＡ２２)。
【００５６】
編成チャンネル数以上でない場合、制御部１２は、次の編成チャンネルの静止画像データを取り出すために、図４に示すチューニング情報テーブル１６のインデックスであるＫに１を加算してメモリ１４に記憶し(ステップＡ２３)、次にステップＡ１２に進む。
【００５７】
制御部１２は、図４に示すチューニング情報テーブル１６のインデックスＩが最大物理チャンネル数以上であるかチェックを行う(ステップＡ２４)。最大物理チャンネル数以上である場合は、全ての物理チャンネルについて選局可能かのチェック済みなので、チューニング完了をユーザに知らせるステップＡ２７の処理を行う。最大物理チャンネル数以上でない場合は、次の物理チャンネルについて選局可能かのチェックを行うためにステップＡ２５の処理を行う。
【００５８】
最大物理チャンネル数以上でない場合、制御部１２は、次の物理チャンネルの周波数を取り出すために、図４に示すチューニング情報テーブル１６のインデックスであるＩに１を加算してメモリ１４に記憶する(ステップＡ２５)。
【００５９】
次に、制御部１２は、次の静止画像を図５に示す表示メモリマップに記憶する位置を示すメモリ領域番号のインデッスＪに１を加算してメモリ１４に記憶し、次の物理チャンネルのチューニングを行うためにステップＡ６に戻る(ステップＡ２６)。
【００６０】
ステップＡ２４においてインデッスＩが最大物理チャンネル数以上の場合は、全ての物理チャンネルについて選局可能かのチェック済みなので、チューナ回路２は、制御部１２に対してチューニング完了信号を出力し、また、チューニング完了メッセージの表示要求を通知する。チューナ回路２からチューニング完了メッセージの表示要求通知を受けた制御部１２は、表示切替コントロール回路１０の表示コントロール回路２１に対して表示装置１１にチューニング完了メッセージをOSD(On Screen Display)表示させる(ステップＡ２７)。
【００６１】
次に制御部１２は、ユーザによる操作入力手段１５への編成チャンネル選択操作の有無をチェックする。編成チャンネル選択操作が有る場合は、制御部１２は選択された編成チャンネル番号を操作入力手段１５から入力し、図４に示すチューニング情報テーブル１６の該当物理チャンネルの選局可否フラグをチェックする(ステップＡ２８)。該当物理チャンネルの選局可否フラグがセットされていれば、ステップA２９の処理を行う(ステップＡ２８)。また、編成チャンネル選択操作が無い場合または該当物理チャンネルの選局可否フラグがセットされていない場合は、制御部１２は一定時間待ち状態となり、再び編成チャンネル選択操作の有無をチェックする(ステップＡ２８)。
【００６２】
ステップＡ２８で編成チャンネル選択操作有りと判断された場合は、制御部１２は、チューナ回路２へ選択された編成チャンネル番号を通知し、チューナ回路２は通知された編成チャンネルが含まれる物理チャンネルのチューニングを行う(ステップＡ２９)。
【００６３】
制御部１２は、ステップＡ２９におけるチューナ回路２へのチューニング指令を通知すると共に、表示切替コントロール回路１０の表示コントロール回路２１に対して外部同期信号で動作するように設定切替指令を行う。同期信号を外部同期信号に切り替えるよう指令を受けた表示コントロール回路２１は、画像信号切替回路１８を読込用メモリ制御回路１７から動画像処理バッファ６のルート側に切り替え、また同期信号切替回路２０を内部同期信号発生回路１９のルート側から画像処理回路５のルート側（外部同期信号のルート側）に切り替える(ステップＡ３０)。
【００６４】
ステップＡ２９でチューナ回路２がチューニングしたチャンネル（物理チャンネル）からＴＳ信号が出力され、このＴＳ信号を入力した信号処理回路３は所望の番組（編成チャンネル）の映像信号を抽出し、抽出された映像信号は画像処理回路５に出力される。更に、画像処理回路５から出力される動画像は、動画像処理バッファ６、また表示切替コントロール回路１０を介して表示装置１１に出力されて所望の番組の映像が表示される。このとき表示切替コントロール回路１０は、画像処理回路５が映像信号から分離させた水平信号と垂直信号である外部同期信号で動作するように切り替えられているので、通常の放送番組を表示することができる(ステップＡ３１)。選択された編成チャンネルの動画像を表示することで、制御部１２はチューナ回路２に物理チャンネルのチューニング終了指令を通知し、本チューニング処理を終了する。
【００６５】
このような第１の実施形態によれば、チューニング作業において乱れない画像を表示することができ、またチューニング作業において静止画像を表示するときには自動的にスクロールしながら放送番組の静止画像を表示することができるテレビジョン放送受信装置及びそのチューニングにおける画像表示方法を提供できる。
【００６６】
（第２の実施の形態）
図９は、本発明の第２の実施形態における、テレビジョン放送受信装置の制御ブロック図である。第２の実施形態のブロック図は、第１の実施形態に対し静止画像処理バッファ７とメモリ制御回路８を削除し、デモ表示情報データテーブル２２を追加し、チューナ表示メモリ回路９を固定画像表示メモリ回路３０に変更した点が異なっている。デモ表示情報データテーブル２２は、チューニング中に表示する静止画像(デモ画像)を記憶するメモリのデータテーブルである。固定画像表示メモリ回路３０は、デモ表示情報データテーブル２２のユーザが指定する番号の固定画像が記憶される。この変更箇所以外は図１の第１の実施形態のブロック図と同様である。
【００６７】
第２の実施形態の表示コントロール回路の詳細な構成は、基本的には第１の実施の形態の図２と同じであるが、、第２の実施形態のブロック図では、第１の実施形態の図２に示したチューナ表示メモリ回路９を固定画像表示メモリ回路３０に変更した点が異なっている。この変更箇所以外は図２の第１の実施形態のブロック図と同様である。
【００６８】
次に、本発明の第２の実施形態における、デジタル放送を受信するテレビジョン放送受信装置のチューニング完了までの処理を図１０のフローチャートを参照して説明する。
【００６９】
第２の実施形態のデジタル放送を受信するテレビジョン放送受信装置は、チューニング作業中に乱れない画像を表示することができ、またチューニング中にテレビジョン放送受信装置の機能説明などの固定画像(デモ画像)を表示することができる。
【００７０】
まず、ユーザが操作入力手段１５を用いてチューニング開始する操作と、チューニング中に表示する図１１に示すデモ表示情報データテーブル３１に保存されている固定画像の番号を指定する操作を行なう(ステップＢ１)。この操作を行なうと、操作入力手段１５からの操作信号が制御部１２に入力される(ステップＢ１)。
【００７１】
次に、制御部１２は、図１１に示すデモ表示情報データテーブル３１からユーザが指定した番号の固定画像をメモリ１４あるいは図示しない内蔵ハードディスクなどから取り出し、固定画像表示メモリ回路３０に保存する(ステップＢ２)。
【００７２】
次に、制御部１２は、表示切替コントロール回路１０の表示コントロール回路２１に内部同期信号で動作するように設定切替指令を通知する。表示コントロール回路２１は、画像信号切替回路１８を静止画像データの読込みを制御する読込用メモリ制御回路１７のルート側に、また同期信号切替回路２０を内部同期信号発生回路１９のルート側に切り替える(ステップＢ３)。
【００７３】
次に、制御部１２は、図４に示すチューニング情報テーブル１６の物理チャンネルの周波数を先頭から順に取り出し、どの物理チャネルが選局可能であるかをチェックする。このためチューニング情報テーブル１６のインデックスＩを初期値１としてメモリ１４に記憶する(ステップＢ４)。
【００７４】
次に、制御部１２は、チューナ回路２に物理チャンネルのチューニング開始指令を通知する(ステップＢ５)。
【００７５】
表示切替コントロール回路１０の表示コントロール回路２１からの要求により、読込用メモリ制御回路１７は、内部同期信号発生回路１９からの水平・垂直同期信号に同期して、保存されている固定画像データを固定画像表示メモリ回路３０から読込み、表示コントロール回路２１に出力する(ステップＢ６)。
【００７６】
表示コントロール回路２１は、読込用メモリ制御回路１７から出力される固定画像データの固定画像を、ステップＢ１６の外部同期信号ルート側へ切り替えるまで連続して表示装置１１に表示する(ステップＢ７)。同期信号切替回路２０が内部同期信号発生回路１９のルート側に切り替わっているので、チューニングとは独立して固定画像データの固定画像を表示出来る。
【００７７】
チューナ回路２は、アンテナ１で受信したテレビジョン放送信号の中から選局可能な特定の周波数(物理チャンネル)を取り出すために、図４に示すチューニング情報テーブル１６のインデックスＩ番目の周波数を取り出す(ステップＢ８)。初期状態のときはＩ＝１の周波数が取り出される。なお、ステップＢ１２から戻って処理が続けられる場合は順次Ｉ＝２，３、・・・に対応する周波数が取り出される。
【００７８】
チューナ回路２は、取り出した周波数(物理チャンネル)の信号が選局可能かチェックする(ステップＢ９)。選局可能な場合は、選局可能物理チャンネルとして記憶するステップＢ１０の処理を行う。選局可能でないと判断された場合はステップＢ１１の処理に進む(ステップＢ９)。
【００７９】
チューナ回路２は、チューニング情報テーブル１６のインデックスＩ番目の物理チャンネルが選局可能である場合は、選局可能物理チャンネルとして記憶するために、図４に示すチューニング情報テーブル１６の該当物理チャンネルの選局可否フラグに１をセットする(ステップＢ１０)。この選局可否フラグにより、チューニング完了後にユーザが編成チャンネルの選局を行った場合に、その物理チャンネルが選局可能かを判断することが出来る。
【００８０】
制御部１２は、図４に示すチューニング情報テーブル１６のインデックスＩが最大物理チャンネル数以上であるかチェックを行う(ステップＢ１１)。最大物理チャンネル数以上である場合は、全ての物理チャンネルについて選局可能かのチェック済みなので、チューニング完了をユーザに知らせるステップＢ１３の処理を行う。最大物理チャンネル数以上でない場合は、次の物理チャンネルについて選局可能かのチェックを行うためにステップＢ１２の処理を行う(ステップＢ１１)。
【００８１】
最大物理チャンネル数以上でない場合、制御部１２は、次の物理チャンネルの周波数を取り出すために、図４に示すチューニング情報テーブル１６のインデックスであるＩに１を加算してメモリ１４に記憶し、次の物理チャンネルのチューニングを行うためにステップＢ８に戻る(ステップＢ１２)。
【００８２】
全ての物理チャンネルについて選局可能かのチェック済みの場合は、チューナ回路２は、制御部１２に対してチューニング完了信号を出力し、また、チューニング完了メッセージの表示要求を通知する。チューナ回路２からチューニング完了メッセージの表示要求通知を受けた制御部１２は、表示切替コントロール回路１０の表示コントロール回路２１に対して表示装置１１にチューニング完了メッセージをOSD(On Screen Display)表示させる(ステップＢ１３)。
【００８３】
制御部１２は、ユーザによる操作入力手段１５の編成チャンネル選択操作の有無をチェックする。編成チャンネル選択操作が有る場合は、制御部１２は選択された編成チャンネル番号を操作入力手段１５から入力し、図４に示すチューニング情報テーブル１６の該当物理チャンネルの選局可否フラグをチェックする(ステップＢ１４)。該当物理チャンネルの選局可否フラグがセットされていれば、ステップＢ１５の処理を行う(ステップＢ１４)。また、編成チャンネル選択操作が無い場合または該当物理チャンネルの選局可否フラグがセットされていない場合は、制御部１２は一定時間待ち状態となり、再び編成チャンネル選択操作の有無をチェックする(ステップＢ１４)。
【００８４】
制御部１２は、チューナ回路２へ選択された編成チャンネル番号を通知し、チューナ回路２は通知された編成チャンネルが含まれる物理チャンネルのチューニングを行う(ステップＢ１５)。
【００８５】
制御部１２は表示切替コントロール回路１０に対して外部同期信号で動作するように設定切替指令を行う。同期信号を外部同期信号に切り替えるよう指令を受けた表示切替コントロール回路１０は、画像信号切替回路１８を読込用メモリ制御回路１７から動画像処理バッファ６のルート側に切り替え、また同期信号切替回路２０を内部同期信号発生回路１９のルート側から画像処理回路５のルート側（外部同期信号のルート側）に切り替える(ステップＢ１６)。
【００８６】
ステップＢ１５でチューナ回路２がチューニングした物理チャンネルからＴＳ信号が出力され、このＴＳ信号を入力した信号処理回路３は所望の番組（編成チャンネル）の映像信号を抽出し、抽出された映像信号は画像処理回路５に出力される。更に、画像処理回路５から出力される動画像は、動画像処理バッファ６、また表示切替コントロール回路１０を介して表示装置１１に出力されて所望の番組の映像が表示される。このとき表示切替コントロール回路１０は、画像処理回路５が映像信号から分離させた水平信号と垂直信号である外部同期信号で動作するように切り替えられているので、通常の放送番組を表示することができる(ステップＢ１７)。選択された編成チャンネルの動画像を表示することで、制御部１２はチューナ回路２に物理チャンネルのチューニング終了指令を通知し、本チューニング処理を終了する。
【００８７】
このような第２の実施形態においても、チューニング作業において乱れない画像を表示することができ、またチューニング作業中にそのテレビジョン放送受信装置の機能説明などの情報をユーザに提供することができるテレビジョン放送受信装置及びそのチューニングにおける画像表示方法を提供できる。
【００８８】
なお、上記実施の形態では、表示装置に静止画像を多画面で表示する時に、受信したチャンネルが予め決められた表示画面数を超えた場合に、自動的に画面の下側にスクロールするようにしたが、その他の実施例として、実施例１の図２の表示コントロール回路２１が受信したチャンネルが予め決められた表示画面数を超えた場合に、実施例１における１行に表示する画面数であるａと１列に表示する画面数ｂを自動的に変更することで、予め決められた変更最大表示画面数まで表示すようにできる。
例えば表示画面数が９で変更最大表示画面数が１６である場合に、図１２に示す画面表示１(ａ：３、ｂ：３)を自動的に図１３に示す画面表示２(ａ：４,ｂ：４)に変更して表示でき、また変更最大表示画面数が１６であれば、表示画面数が１６を超えた場合は自動的にスクロールして表示できる。ａ、ｂを増加していくと、表示画面数は増加していくので、１画面の視認性が悪くなる。そこで視認可能な表示画面数になるようにａ、ｂに制限を設けるようにすることもできる。このようにすれば、ａ、ｂを表示装置の画面サイズに応じて変える場合などに好適である。
【図面の簡単な説明】
【００８９】
【図１】本発明の第１の実施形態であるテレビジョン放送受信装置のブロック図
【図２】本発明の第１の実施形態である表示切替コントロール回路のブロック図
【図３】本発明の第１の実施形態における、テレビジョン放送受信装置のチューニング完了までの処理を示すフローチャート
【図４】チューニング情報テーブルの構成図の一例
【図５】チューナ表示メモリ回路の構成図である表示メモリマップの一例
【図６】動画像処理バッファの構成図の一例
【図７】フレームデータの構成図の一例
【図８】静止画像データ情報エリアの構成図の一例
【図９】本発明の第２の実施形態であるテレビジョン放送受信装置のブロック図
【図１０】本発明の第２の実施形態における、テレビジョン放送受信装置のチューニング完了までの処理を示すフローチャート
【図１１】デモ表示情報データテーブルの構成図の一例
【図１２】本発明のその他実施例である画面表示1の一例
【図１３】本発明のその他実施例である画面表示２の一例
【符号の説明】
【００９０】
１・・・アンテナ
２・・・チューナ回路
３・・・信号処理回路
４・・・外部入力装置
５・・・画像処理回路
６・・・動画像処理バッファ
７・・・静止画像処理バッファ
８・・・メモリ制御回路
９・・・チューナ表示メモリ回路
１０・・表示切替コントロール回路
１１・・表示装置
１２・・制御部(ＣＰＵ)
１３・・電源回路
１４・・メモリ
１５・・操作入力手段
１６・・チューニング情報テーブル
１７・・読込用メモリ制御回路
１８・・画像信号切替回路
１９・・内部同期信号発生回路
２０・・同期信号切替回路
２１・・表示コントロール回路
３０・・固定画像表示メモリ回路
３１・・デモ表示情報データテーブル
【図１】
2009027592.tif 000003
【図２】
2009027592.tif 000004
【図３】
2009027592.tif 000005
【図４】
2009027592.tif 000006
【図５】
2009027592.tif 000007
【図６】
2009027592.tif 000008
【図７】
2009027592.tif 000009
【図８】
2009027592.tif 000010
【図９】
2009027592.tif 000011
【図１０】
2009027592.tif 000012
【図１１】
2009027592.tif 000013
【図１２】
2009027592.tif 000014
【図１３】
2009027592.tif 000015